(57)【要約】      （修正有）【課題】被看護人のプライバシーを保護した状態で当該被看護人の様子を確認するにあたって、医療・看護従事者の効率的な看護業務の遂行を可能とするナースコールシステムを提供する。【解決手段】被看護人の音声を入力して音声データを生成するナースコール子機１の子機マイク１０ａが有する音声入力機能を、少なくとも１台又は複数台のように当該子機単位で選択して能動とし、この子機マイクで生成された音声データをナースコール親機４の親機スピーカ４１ｂから出力させるとともに、これに連動してカメラ２で被看護人の映像データを生成して親機表示部４０に出画させる。【選択図】図１
2014128330.tif 000002
【特許請求の範囲】
【請求項１】
医療・看護施設内の複数の部屋の病床毎に設置され被看護人が医療・看護従事者を呼出して通話を成立させるナースコール子機と、前記ナースコール子機に対応して前記病床毎に設置され前記被看護人の映像を撮像して映像データを生成するカメラと、スタッフステーション等の施設内共用部に設置され前記ナースコール子機を用いた前記被看護人からの呼出しに前記医療・看護従事者が応答して通話を成立させるナースコール親機と、前記カメラ、前記ナースコール親機を制御する制御機とを有するナースコールシステムであって、
前記制御機は、前記カメラを駆動する制御機ＣＰＵを備え、
前記ナースコール子機は、前記被看護人の音声を入力して音声データを生成するための音声入力機能を有する子機マイクと、前記子機マイクが有する前記音声入力機能を能動とする子機ＣＰＵとを備え、
前記ナースコール親機は、前記ナースコール子機を用いた前記被看護人からの呼出しがあることを表示するための呼出表示機能及び前記カメラで生成された前記映像データを出画するための映像出画機能を有する親機表示部と、前記音声入力機能が能動となる前記子機マイクを有する当該ナースコール子機を少なくとも１台選択する親機操作部と、前記親機操作部で選択された前記少なくとも１台のナースコール子機の前記子機マイクが有する前記音声入力機能を能動とするために前記子機ＣＰＵを制御する親機ＣＰＵと、前記親機操作部で選択された前記少なくとも１台のナースコール子機の前記子機マイクで生成された前記音声データを出力して前記医療・看護従事者に聴取させるための親機スピーカとを備え、
前記ナースコール親機の前記親機ＣＰＵは、前記親機操作部で選択された前記子機マイクを有する当該ナースコール子機に対応した前記カメラを駆動させるために前記制御機の前記制御機ＣＰＵを制御し、前記カメラで生成された前記映像データを前記親機表示部に出画させる機能を有することを特徴とするナースコールシステム。
【請求項２】
前記親機操作部で選択された前記子機マイクを有する当該ナースコール子機に対応した前記カメラのうち駆動を停止する当該カメラを設定する機能を有することを特徴とする請求項１記載のナースコールシステム。
【請求項３】
前記ナースコール親機は、前記音声入力機能が能動となる前記子機マイクを有する当該ナースコール子機を複数台選択する親機操作部と、前記親機操作部で選択された前記複数台のナースコール子機の前記子機ＣＰＵを制御して前記子機マイクが有する前記音声入力機能を能動とする機能と前記制御機の前記制御機ＣＰＵを制御して前記音声入力機能が能動とされた前記子機マイクを有する当該ナースコール子機に対応した前記カメラを１台ずつ予め定められた順序で駆動させ、前記カメラで生成された前記映像データを前記親機表示部に順次出画させる機能を有する親機ＣＰＵとを備えることを特徴とする請求項１又は請求項２記載のナースコールシステム。
【請求項４】
前記カメラを駆動させる順序を設定する機能を有する請求項３記載のナースコールシステム。
【請求項５】
前記ナースコール親機は、前記音声入力機能が能動となる前記子機マイクを有する当該ナースコール子機を複数台選択する親機操作部と、前記親機操作部で選択された前記複数台のナースコール子機の前記子機ＣＰＵを制御して前記子機マイクが有する前記音声入力機能を能動とする機能と前記制御機の前記制御機ＣＰＵを制御して前記複数台のナースコール子機の前記子機マイクに入力された前記音声データのうち最大の音量レベルのデータ入力元の当該ナースコール子機に対応した前記カメラを駆動させ、前記カメラで生成された前記映像データを前記親機表示部に出画させる機能を有する親機ＣＰＵとを備えることを特徴とする請求項１記載のナースコールシステム。
【請求項６】
前記ナースコール親機は、前記音声入力機能が能動となる前記子機マイクを有する当該ナースコール子機を複数台選択する親機操作部と、前記親機操作部で選択された前記複数台のナースコール子機の前記子機ＣＰＵを制御し、前記子機マイクが有する前記音声入力機能を能動とする機能と前記子機マイクに入力された前記音声データが予め定められた閾値レベルを超えたときに警報報知を行う機能を有する親機ＣＰＵとを備えることを特徴とする請求項１記載のナースコールシステム。
【請求項７】
前記閾値レベルを超えた音声データのデータ入力元の当該ナースコール子機に対応した前記カメラを駆動させ、前記カメラで生成された前記映像データを前記親機表示部に出画させる機能を有することを特徴とする請求項６記載のナースコールシステム。
【請求項８】
前記ナースコール親機の前記親機表示部は、前記被看護人のリスト及びフロア病床レイアウトのうち少なくとも１つを表示する主表示部と、前記主表示部と別体で前記ナースコール子機を用いた前記被看護人からの呼出しを表示するとともに前記カメラで生成された前記映像データを出画する副表示部とを有することを特徴とする請求項１乃至請求項７のうち何れか１項記載のナースコールシステム。
【請求項９】
前記副表示部は、前記主表示部よりも小さいことを特徴とする請求項８記載のナースコールシステム。
【請求項１０】
前記主表示部は縦長であり、前記副表示部は横長であることを特徴とする請求項８又は請求項９記載のナースコールシステム。
【発明の詳細な説明】
【技術分野】
【０００１】
本発明は、病院等の医療・看護施設内に設置されるナースコールシステムに係り、特に、被看護人の音声の聴取のみならず当該被看護人の映像の出画をもとに、被看護人の様子を医療・看護従事者に確認させることができるナースコールシステムに関する。
【背景技術】
【０００２】
従来から、この種のナースコールシステムとして、ナースコール親機で聴取操作が行われることにより、予め定められた順序で全てのナースコール子機のマイクを起動させ、これらマイクで聴取された音をナースコール親機のスピーカから順次報音させるとともに、音が聴取されたマイクを有するナースコール子機に対応したカメラ（院内カメラ）についても順次撮像を指示することで、これらカメラで撮像された映像をナースコール親機のモニタに順次表示させることができるナースコールシステムが開示されている（例えば、特許文献１を参照）。
【先行技術文献】
【特許文献】
【０００３】
【特許文献１】特開２０１０−７５３７６号公報
【発明の概要】
【発明が解決しようとする課題】
【０００４】
しかしながら、特許文献１記載のナースコールシステムによれば、ナースコール親機で聴取操作が行われると、予め定められた順序で全てのナースコール子機のマイクが起動し、これに連動して全てのカメラ（院内カメラ）についても撮像動作が行われるため、聴取操作を行った医療・看護従事者は、聴取先を具体的に選択することができない。したがって、ナースコール子機の台数が多い例えば、大規模な病院等の医療・看護施設内においては、その様子を確認したい被看護人を優先できず、効率的な看護業務の遂行が困難となるおそれがあった。
【０００５】
また、被看護人によれば、自己のプライバシーが阻害されることを懸念し、音による聴取は望む一方、映像の撮像及びその出画を拒むことが多く、この点を解消するような機能、すなわち、カメラを用いた映像の撮像及びその出画を停止させる機能が特許文献１記載のナースコールシステムには何ら備えられていなかった。
【０００６】
本発明は、これらの難点を解消するためになされたもので、被看護人のプライバシーを保護した状態で当該被看護人の様子を確認するにあたって、医療・看護従事者の効率的な看護業務の遂行を可能とするナースコールシステムを提供することを目的としている。
【課題を解決するための手段】
【０００７】
前述の目的を達成するため、本発明の第１の態様であるナースコールシステムは、医療・看護施設内の複数の部屋の病床毎に設置され被看護人が医療・看護従事者を呼出して通話を成立させるナースコール子機と、ナースコール子機に対応して病床毎に設置され被看護人の映像を撮像して映像データを生成するカメラと、スタッフステーション等の施設内共用部に設置されナースコール子機を用いた被看護人からの呼出しに医療・看護従事者が応答して通話を成立させるナースコール親機と、カメラ、ナースコール親機を制御する制御機とを有する当該システムである。制御機は、カメラを駆動する制御機ＣＰＵを備えている。ナースコール子機は、被看護人の音声を入力して音声データを生成するための音声入力機能を有する子機マイクと、子機マイクが有する音声入力機能を能動とする子機ＣＰＵとを備えている。ナースコール親機は、ナースコール子機を用いた被看護人からの呼出しがあることを表示するための呼出表示機能及びカメラで生成された映像データを出画するための映像出画機能を有する親機表示部と、音声入力機能が能動となる子機マイクを有する当該ナースコール子機を少なくとも１台選択する親機操作部と、親機操作部で選択された少なくとも１台のナースコール子機の子機マイクが有する音声入力機能を能動とするために子機ＣＰＵを制御する親機ＣＰＵと、親機操作部で選択された少なくとも１台のナースコール子機の子機マイクで生成された音声データを出力して医療・看護従事者に聴取させるための親機スピーカとを備えている。ナースコール親機の親機ＣＰＵは、親機操作部で選択された子機マイクを有する当該ナースコール子機に対応したカメラを駆動させるために制御機の制御機ＣＰＵを制御し、カメラで生成された映像データを親機表示部に出画させる機能を有している。
【０００８】
この態様のナースコールシステムによれば、被看護人の様子をナースコール親機で確認するにあたって、被看護人の音声を入力して音声データを生成するナースコール子機の子機マイクが有する音声入力機能を、少なくとも１台のように当該子機単位で選択して能動とし、この子機マイクで生成された音声データを親機スピーカから出力させるとともに、これに連動し、カメラで被看護人の映像データを生成して親機表示部に出画させることができる。したがって、スタッフステーション等の施設内共用部に在室中の医療・看護従事者は、その様子を確認したい被看護人を自由に選択し、例えば、優先することができるばかりでなく、選択された被看護人の音声による聴取のみならず、当該被看護人の映像の出画をもとにその様子を確認することができ、迅速な対応が可能となる。
【０００９】
また、本発明の第２の態様であるナースコールシステムは、本発明の第１の態様において、親機操作部で選択された子機マイクを有する当該ナースコール子機に対応したカメラのうち駆動を停止する当該カメラを設定する機能を有している。
【００１０】
この態様のナースコールシステムによれば、スタッフステーション等の施設内共用部に在室中の医療・看護従事者は、被看護人が映像の撮像及びその出画を望まない場合、被看護人のプライバシーを保護した状態で音声による聴取のみでその様子を確認することができる。
【００１１】
また、本発明の第３の態様であるナースコールシステムは、本発明の第１の態様又は第２の態様において、ナースコール親機は、音声入力機能が能動となる子機マイクを有する当該ナースコール子機を複数台選択する親機操作部と、親機操作部で選択された複数台のナースコール子機の子機ＣＰＵを制御して子機マイクが有する音声入力機能を能動とする機能と制御機の制御機ＣＰＵを制御して音声入力機能が能動とされた子機マイクを有する当該ナースコール子機に対応したカメラを１台ずつ予め定められた順序で駆動させ、カメラで生成された映像データを親機表示部に順次出画させる機能を有する親機ＣＰＵとを備えている。
【００１２】
この態様のナースコールシステムによれば、複数の被看護人の様子をナースコール親機で順次確認するにあたって、被看護人の音声を入力して音声データを生成するナースコール子機の子機マイクが有する音声入力機能を、当該子機単位で複数台選択して能動とし、これら複数の子機マイクでそれぞれ生成された音声データを親機スピーカから出力（合成出力）させるとともに、これに連動し、複数のカメラでそれぞれ被看護人の映像データを生成して親機表示部に順次出画させることができる。したがって、スタッフステーション等の施設内共用部に在室中の医療・看護従事者は、その様子を確認したい複数の被看護人を自由に選択し、例えば、優先することができるばかりでなく、選択された複数の被看護人の音声（合成音声）による聴取のみならず当該被看護人の映像の出画をもとにその様子を確認することができ、迅速な対応が可能となる。
【００１３】
また、本発明の第４の態様であるナースコールシステムは、本発明の第３の態様において、カメラを駆動させる順序を設定する機能を有している。
【００１４】
この態様のナースコールシステムによれば、スタッフステーション等の施設内共用部に在室中の医療・看護従事者は、被看護人の映像データを生成するにあたって駆動されるカメラの駆動順序を自由に設定できる。
【００１５】
また、本発明の第５の態様であるナースコールシステムは、本発明の第１の態様において、ナースコール親機は、音声入力機能が能動となる子機マイクを有する当該ナースコール子機を複数台選択する親機操作部と、親機操作部で選択された複数台のナースコール子機の子機ＣＰＵを制御して子機マイクが有する音声入力機能を能動とする機能と制御機の制御機ＣＰＵを制御して複数台のナースコール子機の子機マイクに入力された音声データのうち最大の音量レベルのデータ入力元の当該ナースコール子機に対応したカメラを駆動させ、カメラで生成された映像データを親機表示部に出画させる機能とを有する親機ＣＰＵとを備えている。
【００１６】
この態様のナースコールシステムによれば、複数の被看護人の様子をナースコール親機で順次確認するにあたって、被看護人の音声を入力して音声データを生成するナースコール子機の子機マイクが有する音声入力機能を、当該子機単位で複数台選択して能動とし、これら複数の子機マイクでそれぞれ生成された音声データのうち最大の音量レベルの当該ナースコール子機に対応したカメラを駆動させ、このカメラで生成された映像データを親機表示部に出画させることができる。したがって、スタッフステーション等の施設内共用部に在室中の医療・看護従事者は、その様子を確認したい複数の被看護人のうち例えば、大きな声を出しており、迅速な対応を必要とする被看護人を早急に確認することができる。
【００１７】
また、本発明の第６の態様であるナースコールシステムは、本発明の第１の態様において、ナースコール親機は、音声入力機能が能動となる子機マイクを有する当該ナースコール子機を複数台選択する親機操作部と、親機操作部で選択された複数台のナースコール子機の子機ＣＰＵを制御し、子機マイクが有する音声入力機能を能動とする機能と子機マイクに入力された音声データが予め定められた閾値レベルを超えたときに警報報知を行う機能を有する親機ＣＰＵとを備えている。
【００１８】
この態様のナースコールシステムによれば、複数の被看護人の様子をナースコール親機で順次確認するにあたって、被看護人の音声を入力して音声データを生成するナースコール子機の子機マイクが有する音声入力機能を、当該子機単位で複数台選択して能動とし、これら複数の子機マイクでそれぞれ生成された音声データが予め定められた閾値レベルを超えたときには警報報知を行うことができる。したがって、スタッフステーション等の施設内共用部に在室中の医療・看護従事者は、その様子を確認したい複数の被看護人のうち、警報報知の対象とされる被看護人を早急に確認することができ、迅速な対応が可能となる。
【００１９】
また、本発明の第７の態様であるナースコールシステムは、本発明の第６の態様において、閾値レベルを超えた音声データのデータ入力元の当該ナースコール子機に対応したカメラを駆動させ、カメラで生成された映像データを親機表示部に出画させる機能を有している。
【００２０】
この態様のナースコールシステムによれば、警報報知元とされる被看護人の映像データをカメラで生成してナースコール親機の親機表示部に出画させることができる。したがって、スタッフステーション等の施設内共用部に在室中の医療・看護従事者は、その様子を確認したい複数の被看護人のうち、警報報知の対象とされる被看護人の映像を早急に確認することができ、迅速な対応が可能となる。
【００２１】
また、本発明の第８の態様であるナースコールシステムは、本発明の第１の態様乃至第７の態様のうち何れかの態様において、ナースコール親機の親機表示部は、被看護人のリスト及びフロア病床レイアウトのうち少なくとも１つを表示する主表示部と、主表示部と別体であってカメラで生成された映像データを出画する副表示部とを有している。
【００２２】
この態様のナースコールシステムによれば、ナースコール子機を用いた被看護人からの呼出しのみならずカメラで生成された被看護人の映像データを出画することができるナースコール親機の親機表示部が有する呼出表示機能及び映像出画機能を、主表示部及び副表示部のように、その機能毎に別体で設けられる当該表示部を用いて能動とすることができる。したがって、スタッフステーション等の施設内共用部に在室中の医療・看護従事者は、ナースコール子機を用いた被看護人からの呼出しがあることを示す呼出表示と被看護人の映像データを確認するにあたって十分な視認性が確保される。
【００２３】
また、本発明の第９の態様であるナースコールシステムは、本発明の第８の態様において、副表示部は、主表示部よりも小さいものである。
【００２４】
この態様のナースコールシステムによれば、その様子を確認したい被看護人の映像データをナースコール親機の親機表示部を構成する副表示部を用いて出画でき、この副表示部は、被看護人のリスト及びフロア病床レイアウトのうち少なくとも１つを表示する主表示部と比較して小さいため、スタッフステーション等の施設内共用部に在室中の医療・看護従事者は、例えば、ナースコール子機を用いた呼出しを行った被看護人への看護業務に支障がない状態で被看護人の映像データを確認して迅速に対応可能となる。
【００２５】
また、本発明の第１０の態様であるナースコールシステムは、本発明の第８の態様又は第９の態様において、主表示部は縦長であり、副表示部は横長である。
【００２６】
この態様のナースコールシステムによれば、ナースコール親機の親機表示部を構成する主表示部が縦長であるため、被看護人のリスト及びフロア病床レイアウトのうち少なくとも１つを表示するにあたって、より多くの情報を一画面上に表示させることができる一方、副表示部は横長であるため、従来のテレビドアホン・テレビインターホン等と同様、特に、被看護人の映像データを確認し易く、何れの表示部についても十分な視認性が確保される。
【発明の効果】
【００２７】
本発明のナースコールシステムによれば、病院等の医療・看護施設内の被看護人からの呼出しの報知のみならず被看護人の様子を医療・看護従事者に確認させることができるナースコール親機において、被看護人のプライバシーを保護した状態で当該被看護人の様子を確認するにあたり、医療・看護従事者の効率的な看護業務の遂行が可能となる。
【図面の簡単な説明】
【００２８】
【図１】図１は、本発明の実施例によるナースコールシステムの全体構成を示すシステム説明図である。
【図２】図２（Ａ）は、本発明の実施例によるナースコールシステムにおいて（ナースコール子機を構成する）プレート子機の具体的な構成を示すブロック図である。また、図２（Ｂ）は、同システムにおいてナースコール親機の具体的な構成を示すブロック図である。さらに、図２（Ｃ）は、同システムにおいて制御機の具体的な構成を示すブロック図である。
【図３】図３（Ａ）は、本発明の実施例によるナースコールシステムの第１の動作時においてナースコール親機の親機表示部を構成する主表示部のリスト表示例を示す画面構成図である。また、図３（Ｂ）は、同システムの第１の動作時においてナースコール親機の親機表示部を構成する主表示部のフロア病床レイアウト表示例を示す画面構成図である。さらに、図３（Ｃ）は、同システムの第１の動作時においてナースコール親機の親機表示部を構成する副表示部の呼出表示／出画映像例を示す画面構成図である。
【図４】図４（Ａ）は、本発明の実施例によるナースコールシステムが待受状態においてナースコール親機の親機表示部を構成する主表示部のリスト表示例を示す画面構成図である。また、図４（Ｂ）は、同システムが待受状態においてナースコール親機の親機表示部を構成する主表示部のフロア病床レイアウト表示例を示す画面構成図である。
【図５】図５（Ａ）は、本発明の実施例によるナースコールシステムの第２の動作時においてナースコール親機の親機表示部を構成する主表示部のリスト表示例を示す画面構成図である。また、図５（Ｂ）は、同システムの第２の動作時においてナースコール親機の親機表示部を構成する主表示部のフロア病床レイアウト表示例を示す画面構成図である。さらに、図５（Ｃ）は、同システムの第２の動作時においてナースコール親機の親機表示部を構成する副表示部の出画映像例を示す画面構成図である。
【図６】図６（Ａ）は、本発明の実施例によるナースコールシステムの第３の動作時においてナースコール親機の親機表示部を構成する主表示部のリスト表示例を示す画面構成図である。また、図６（Ｂ）は、同システムの第３の動作時においてナースコール親機の親機表示部を構成する主表示部のフロア病床レイアウト表示例を示す画面構成図である。さらに、図６（Ｃ−１、Ｃ−２、Ｃ−３）は、同システムの第３の動作時においてナースコール親機の親機表示部を構成する副表示部の聴取中表示／出画映像例を示す画面構成図である。
【発明を実施するための形態】
【００２９】
以下、本発明のナースコールシステムを適用した実施の形態例について、図面を参照して説明する。
【００３０】
図１は、本発明の実施例によるナースコールシステムの全体構成を示すシステム説明図である。このナースコールシステムは、病院等の医療・看護施設内（以下、施設内という）に設置されるものであり、（複数台の）ナースコール子機１、（複数台の）カメラ２、（複数台の）廊下灯３、ナースコール親機４及び制御機５を有している。
【００３１】
ここで、廊下灯３には、子機ラインＬ1を経由してナースコール子機１が接続、例えば、個別配線で接続されている。また、制御機５には、カメララインＬ2を経由してカメラ２が接続、例えば、バス接続されているとともに、廊下灯ラインＬ3を経由して廊下灯３が接続、例えば、渡り配線で接続され、さらには親機ラインＬ4を経由してナースコール親機４が接続されている。
【００３２】
なお、ナースコール子機１及び廊下灯３間の接続は、図示のような個別配線の接続に限定されるものではなく、例えば、廊下灯３に対してナースコール子機１を順次接続する渡り配線の態様（不図示）も好適とされる。また、カメラ２及び制御機５間の接続についても、図示のようなバス接続に限定されるものではなく、例えば、渡り配線の態様（不図示）も好適とされる。さらに、廊下灯３及び制御機５間の接続についても、図示のような渡り配線の接続に限定されるものではなく、例えば、バス接続の態様（不図示）も好適とされる。
【００３３】
ナースコール子機１はそれぞれ個別の子機ＩＤを有しており、施設内における例えば、２０１号室、２０２号室、・・・・のような複数の部屋（病室と同意）内の各病床の被看護人（患者と同意）が、例えば、ナースコール親機４が設置されるスタッフステーション等の施設内共用部に在室中である、医師や看護師又は看護助手等の医療・看護従事者に対し、通常呼出し、トイレ・風呂介助等の介助呼出し、点滴の終了を知らせる確認呼出し等、ナースコール呼出しに係る呼出種別毎で異なる呼出操作を行うとともに、この被看護人が医療・看護従事者との間で音声（音声データ）を送受信して通話を成立させるものである。また、ナースコール子機１によれば、前述のような被看護人によるナースコール呼出しのみならず、被看護人の周囲近傍に居る医療・看護従事者が他の医療・看護従事者を呼出す、すなわち、スタッフ緊急呼出しのための呼出操作を行い、通話を成立させることもできる。
【００３４】
ここで、ナースコール子機１は、部屋内の病床数に対応させて任意の台数を設けることができ、本実施例によれば、２０１号室、２０２号室、・・・のような複数の部屋のうち、少なくとも２０１号室内、２０２号室内にはそれぞれ２床が設けられているものとして以下、説明する。このナースコール子機１としては、前述のような呼出操作が行われる呼出操作機能を有する呼出握りボタン等のハンド子機１ａと、ハンド子機１ａが接続され前述のような通話を成立させる通話機能を有するプレート子機１ｂとで構成されるものである。なお、ハンド子機１ａには、呼出操作機能のみならず前述のような通話機能を備えることもできる。また、プレート子機１ｂには、通話機能のみならず前述のような呼出操作機能や、ナースコール呼出し又はスタッフ緊急呼出しを待受状態に復旧させる呼出復旧操作機能等を備えることもできる。
【００３５】
カメラ２はそれぞれ個別のカメラＩＤを有しており、前述のようなナースコール子機１に対応して各部屋の病床毎に設置され、被看護人の映像を撮像して映像データを生成するにあたり、この映像データについて信号処理、例えば、圧縮処理及びデジタル化し、カメラＩＤを付加して送出するものである。なお、カメラ２としては、例えば、ＣＣＤ、ＣＭＯＳ等の各種の映像撮像媒体で構成されている。
【００３６】
廊下灯３はそれぞれ個別の廊下灯ＩＤを有しており、前述のような各部屋の出入口近傍に設置され、ナースコール子機１を用いた被看護人からのナースコール呼出し又は医療・看護従事者からのスタッフ緊急呼出しを、呼出種別毎に異なるパターンで報知（呼出表示、呼出発報）するものである。
【００３７】
ナースコール親機４は、前述のようなスタッフステーション等の施設内共用部に設置され、ナースコール子機１を用いた被看護人からのナースコール呼出し又は医療・看護従事者からのスタッフ緊急呼び出しを、呼出種別毎に異なるパターンで報知（呼出表示、呼出発報）するとともに、これを確認した医療・看護従事者が被看護人又は他の医療・看護従事者との間で音声（音声データ）を送受信して通話を成立させるばかりでなく、その様子を確認したい被看護人の音声データを医療・看護従事者に聴取させ、さらにはカメラ２で生成された被看護人の映像データを出画するものである。
【００３８】
なお、ナースコール親機４の構成態様としては、図示のような電子情報出力型の当該親機に限定されず、例えば、ＰＣ（パーソナル・コンピュータ）型やボード型の当該親機（不図示）も好適とされる。また、ナースコール親機４には、通常、ナースコール子機１を個別呼出し又は一斉呼出しする機能等も備えられている。
【００３９】
制御機５は、カメララインＬ2を経由してカメラ２、廊下灯ラインＬ3を経由して廊下灯３、親機ラインＬ4を経由してナースコール親機４をそれぞれ接続する中継器として例えば、前述のような施設内共用部に設置されており、これら接続された機器を制御するものである。
【００４０】
次に、（ナースコール子機１を構成する）プレート子機１ｂの具体的な構成について図２（Ａ）のブロック図を参照して説明する。同図に示すプレート子機１ｂには、子機通話部１０、子機操作部１１、子機ＣＰＵ１２、ハンド側子機Ｉ／Ｆ１３及び廊下灯側子機Ｉ／Ｆ１４が備えられている。
【００４１】
このプレート子機１ｂにおいて、子機通話部１０は、被看護人が医療・看護従事者との間で通話を成立させる又は医療・看護従事者が他の医療・看護従事者との間で通話を成立させるための音声（音声データ）を送受信するものであり、子機マイク１０ａ、子機スピーカ１０ｂ及び子機音声処理回路１０ｃを有している。また、子機マイク１０ａは、医療・看護従事者が被看護人の様子を確認するにあたり、その被看護人の音声を入力して音声データを生成する音声入力機能が備えられている。さらに、子機音声処理回路１０ｃは、子機マイク１０ａで生成された音声データについて信号処理、例えば、圧縮処理及びデジタル化するとともに、子機スピーカ１０ｂから出力させる音声データについて信号処理、例えば、伸張処理及びアナログ化するものである。
【００４２】
子機操作部１１は、ハンド側子機Ｉ／Ｆ１３に接続されるハンド子機１ａを用いた被看護人からのナースコール呼出しを待受状態に復旧させる機能や、医療・看護従事者がスタッフ緊急呼出しを行うための操作機能等が備えられている。また、子機ＣＰＵ１２は、当該子機の構成各部を制御するものである。また、ハンド側子機Ｉ／Ｆ１３は、ハンド子機１ａが接続され、このハンド子機１ａ及び子機ＣＰＵ１２間の信号伝送路を形成するものである。さらに、廊下灯側子機Ｉ／Ｆ１３は、子機ラインＬ1及び子機ＣＰＵ１２間の信号伝送路を形成するものである。
【００４３】
なお、プレート子機１ｂには、前述の構成各部１０（１０ａ、１０ｂ、１０ｃ）、１１、１２、１３、１４のみならず、ハンド側子機Ｉ／Ｆ１３に接続されるハンド子機１ａを用いた被看護人からのナースコール呼出しが正常にされたことや、子機操作部１１を用いた医療・看護従事者からのスタッフ緊急呼出しが正常にされたこと、さらには自子機が聴取中であることをそれぞれ表示（呼出確認表示、聴取確認表示）する例えば、ＬＥＤ等の発光体で構成される子機表示部（不図示）を備えることもできる。
【００４４】
次に、ナースコール親機４の具体的な構成について図２（Ｂ）のブロック図を参照して説明する。同図に示すナースコール親機４には、親機表示部４０、親機通話部４１、親機操作部４２、親機ＣＰＵ４３及び親機Ｉ／Ｆ４４が備えられている。
【００４５】
このナースコール親機４において、親機表示部４０は、ナースコール子機１を用いた被看護人からのナースコール呼出し又は医療・看護従事者からのスタッフ緊急呼出しがあることを表示（呼出表示）するとともに、カメラ２で生成された被看護人の映像データを出画するものであって、例えば、ＬＣＤ、有機ＥＬディスプレイ等の各種の表示媒体で構成されている。なお、親機表示部４０は、聴取対象の被看護人が例えば、大きな声を出しており、迅速な対応を必要とする旨の表示（警報表示）を行うこともできる。
【００４６】
ここで、親機表示部４０は、縦長で例えば、１５インチ以上の主表示部４０ａと、横長で主表示部４０ａよりも小さい例えば、１０インチ以下の副表示部４０ｂと、親機映像処理回路４０ｃとを有している。また、主表示部４０ａは、被看護人のリストやフロア病床レイアウトをもとに前述のようなナースコール呼出し又はスタッフ緊急呼出しがあることの呼出表示、或いは警報表示を行うものであって、副表示部４０ｂは、カメラ２で生成された被看護人の映像データを出画するものである。さらに、親機映像処理回路４０ｃは、被看護人のリストやフロア病床レイアウトを生成して主表示部４０ａに表示させる機能と、副表示部４０ｂに被看護人の映像データを出画させるにあたっての信号処理、例えば、伸張処理及びアナログ化する機能とを有している。
【００４７】
親機通話部４１は、医療・看護従事者が被看護人又は他の医療・看護従事者との間で通話を成立させるための音声（音声データ）を送受信するものであり、例えば、親機マイク４１ａ、親機スピーカ４１ｂ及び親機音声処理回路４１ｃを有している。また、親機スピーカ４１ｂは、前述のようなナースコール呼出し又はスタッフ緊急呼出しがあることを報知（呼出発報）するための呼出音や音声メッセージ等を出力するのみならず、その様子を確認したい、聴取対象である被看護人の音声（音声データ）を出力することができる。なお、親機スピーカ４１ｂは、聴取対象の被看護人が例えば、大きな声を出しており、迅速な対応を必要とする旨の警報音や音声メッセージ等を出力（警報発報）することもできる。
【００４８】
また、親機通話部４１の親機音声処理回路４１ｃは、親機マイク４１ａに入力された医療・看護従事者の音声をもとに生成した音声データについて信号処理、例えば、圧縮処理及びデジタル化するとともに、親機スピーカ４１ｂから出力（同時出力）させる音声データについて信号処理、例えば、伸張処理及びアナログ化するものである。なお、親機通話部４１としては、図示のようなハンドセットを適用することもできる。
【００４９】
親機操作部４２は、前述のような被看護人からのナースコール呼出し又は他の医療・看護従事者からのスタッフ緊急呼出しに医療・看護従事者が応答する操作（応答操作）機能と、音声入力機能が能動となる子機マイク１０ａを有するナースコール子機１を少なくとも１台又は複数台選択する音声入力選択機能等を有しており、例えば、親機表示部４０を構成する主表示部４０ａ及び副表示部４０ｂの前面にそれぞれ設置されたタッチパネルで構成される、主操作部４２ａ及び副操作部４２ｂを有している。
【００５０】
親機ＣＰＵ４３は、当該ナースコール親機の構成各部を制御するものである。また、親機Ｉ／Ｆ４４は、親機ＣＰＵ４３及び親機ラインＬ4間の信号伝送路を形成するものである。
【００５１】
次に、制御機５の具体的な構成について図２（Ｃ）のブロック図を参照して説明する。同図に示す制御機５には、制御機音声処理部５０、制御機映像処理部５１、制御機ＣＰＵ５２、カメラ側制御機Ｉ／Ｆ５３、廊下灯側制御機Ｉ／Ｆ５４及び親機側制御機Ｉ／Ｆ５５が備えられている。
【００５２】
この制御機５において、制御機音声処理部５０は、ナースコール子機１のうち選択された少なくとも１台又は複数台の当該ナースコール子機から伝送されてくる（複数の）音声データについてその音声データに付加された子機ＩＤに対応させて信号処理、例えば、伸張し、複数の当該音声データの場合には合成し、その後、再圧縮して送出する機能と、ナースコール親機４から伝送されてくる音声データについて信号処理、例えば、伸張した後、再圧縮して送出する機能とを有している。また、制御機音声処理部５０は、ナースコール子機１のうち選択された少なくとも１台又は複数台の当該ナースコール子機から伝送されてくる音声データの音量レベルを検出する機能と、その検出レベルと予め定められた閾値レベルとの比較を行う機能を有している。
【００５３】
制御機映像処理部５１は、ナースコール子機１のうち選択された少なくとも１台又は複数台の当該ナースコール子機に対応するカメラ２から伝送されてくる映像データのうち出画対象の当該映像データについてカメラＩＤに対応させて信号処理、例えば、伸張し、再圧縮して送出する機能を有している。
【００５４】
制御機ＣＰＵ５２は、当該制御機の構成各部を制御するばかりでなく当該システム全体を制御するものである。また、カメラ側制御機Ｉ／Ｆ５３は、制御機ＣＰＵ５２及びカメララインＬ2間の信号伝送路を形成するものである。また、廊下灯側制御機Ｉ／Ｆ５４は、制御機ＣＰＵ５２及び廊下灯ラインＬ3間の信号伝送路を形成するものである。さらに、親機側制御機Ｉ／Ｆ５５は、制御機ＣＰＵ５２及び親機ラインＬ4間の信号伝送路を形成するものである。
【００５５】
このように構成された本発明の実施例によるナースコールシステムにおいて、以下、具体的な動作について説明する。
〔第１の動作〕
第１の動作として、図１に示す２０１号室、２０２号室、・・・のような複数の部屋内の各病床に居る被看護人のうち、例えば、２０１号室内における特定の病床の被看護人、ここでは、氏名（氏名データ）が「水野由香」であって被看護人識別ＩＤ「０００１」を有する被看護人が、スタッフステーション等の施設内共用部に在室中の医療・看護従事者を呼出すために、自病床に設置されたナースコール子機１を構成するハンド子機１ａを用いて例えば、ナースコール呼出しのための操作を行うと、図２（Ａ）に示すように、このハンド子機１ａがハンド側子機Ｉ／Ｆ１３を経由して接続されるプレート子機１ｂの子機ＣＰＵ１２が当該操作を検出する。この子機ＣＰＵ１２は、自子機が有する子機ＩＤ「１」及びナースコール呼出しを示す呼出種別情報を付加したナースコール呼出信号を生成し、廊下灯側子機Ｉ／Ｆ１４、子機ラインＬ1を経由して、２０１号室の出入口近傍に設置された廊下灯３に送出する。
【００５６】
２０１号室の出入口近傍に設置された廊下灯３は、ナースコール子機１を構成するプレート子機１ｂから伝送されてきたナースコール呼出信号に付加されている子機ＩＤ「１」及び呼出種別情報をもとに、２０１号室内で子機ＩＤ「１」を有するナースコール子機１が病床に設置されている被看護人からのナースコール呼出しがあることを検出し、その旨の報知（呼出表示、呼出発報）を行うとともに、受信したナースコール呼出信号に自廊下灯が有する廊下灯ＩＤ「２０１」を付加し、このナースコール呼出信号を、廊下灯ラインＬ3、図２（Ｃ）に示す制御機５の廊下灯側制御機Ｉ／Ｆ５４を経由して制御機ＣＰＵ５２に送出する。
【００５７】
制御機５の制御機ＣＰＵ５２は、受信したナースコール呼出信号に付加されている子機ＩＤ「１」、廊下灯ＩＤ「２０１」及び呼出種別情報をもとに、２０１号室内で子機ＩＤ「１」を有するナースコール子機１が病床に設置されている被看護人からのナースコール呼出しがあることを検出する。また、制御機ＣＰＵ５２は、ナースコール親機４でナースコール呼出しを報知させる当該信号として、前述の子機ＩＤ「１」、廊下灯ＩＤ「２０１」及び呼出種別情報を付加した親機呼出報知信号を生成する。この親機呼出報知信号は、制御機ＣＰＵ５２から親機側制御機Ｉ／Ｆ５５、親機ラインＬ4、図２（Ｂ）に示すナースコール親機４の親機Ｉ／Ｆ４４を経由して親機ＣＰＵ４３に伝送される。
【００５８】
ナースコール親機４の親機ＣＰＵ４３は、受信した親機呼出報知信号に付加されている子機ＩＤ「１」、廊下灯ＩＤ「２０１」及び呼出種別情報をもとに、２０１号室内で子機ＩＤ「１」を有するナースコール子機１が病床に設置されている被看護人からのナースコール呼出しがある旨の呼出音や音声メッセージ等を、親機通話部４１を構成する親機音声処理回路４０ｃを経由して親機スピーカ４１ｂから出力させるとともに、同様なナースコール呼出しがある旨の呼出表示として、親機表示部４０を構成する親機映像処理回路４０ｃを制御し、図３（Ａ）、（Ｂ）に示すような呼出元である被看護人のリスト及びフロア病床レイアウトのうち少なくとも１つを用いて主表示部４２ａへの呼出表示を行うことができる。なお、親機表示部４０を構成する主表示部４０ａを用いた被看護人のリスト又はフロア病床レイアウトとしては、診療科目、担当医、救護区分等の被看護人に係る各種情報を併せて表示させることができる。また、同様なリスト及びフロア病床レイアウトは、例えば、親機操作部４２を構成する主操作部４２ａを用いて切換操作を行うことにより、主表示部４０ａへの表示内容を切換えることができる。
【００５９】
ここで、ナースコール親機４の親機表示部４０を構成する主表示部４０ａは、副表示部４０ｂと比較して大きく、また縦長であるため、特に、被看護人のフロア病床レイアウトの表示を行うにあたっては、施設内における特定フロアの病床レイアウトを表示させた状態で呼出表示できることから、より多くの情報が一画面上に表示される。したがって、この呼出表示を確認するスタッフステーション等の施設内共用部に在室中の医療・看護従事者は、十分な視認性が確保されることになる。
【００６０】
また、制御機５の制御機ＣＰＵ５２は、受信したナースコール呼出信号に付加されている子機ＩＤ「１」、廊下灯ＩＤ「２０１」及び呼出種別情報を検出すると、このナースコール呼出信号に付加されている子機ＩＤ「１」、廊下灯ＩＤ「２０１」に対応するカメラＩＤ、ここでは、カメラＩＤ「Ｃ１０１」を付加したカメラ駆動信号を生成する。また、制御機ＣＰＵ５２で生成されたカメラ駆動信号は、カメラ側制御機Ｉ／Ｆ５３、カメララインＬ2を経由して全てのカメラ２に伝送される。
【００６１】
全てのカメラ２は、受信したカメラ駆動信号に付加されているカメラＩＤ「Ｃ１０１」と自カメラが有するカメラＩＤとを照合する。ここでは、当該カメラＩＤが「Ｃ１０１」で一致する、２０１号室内で子機ＩＤ「１」を有するナースコール子機１に対応したカメラ２のみが駆動する。このカメラ２は、ナースコール呼出元である被看護人の映像を撮像し、圧縮処理及びデジタル化させ、カメラＩＤ「Ｃ１０１」を付加した映像データ信号（以下、呼出時映像データ信号という）を生成する。この呼出時映像データ信号は、前述のカメラ駆動信号とは逆の信号伝送路を経由して図２（Ｃ）に示す制御機５の制御機ＣＰＵ５２に伝送される。
【００６２】
制御機５の制御機ＣＰＵ５２は、受信した呼出時映像データ信号に付加されているカメラＩＤ「Ｃ１０１」をもとに、２０１号室内で子機ＩＤ「１」を有するナースコール子機１に対応したカメラ２で生成された被看護人の映像データであることを検出し、受信した呼出時映像データ信号について制御機映像処理部５１で伸張し、再圧縮させた後、親機側制御機Ｉ／Ｆ５５、親機ラインＬ4、図２（Ｂ）に示すナースコール親機４の親機Ｉ／Ｆ４４を経由して親機ＣＰＵ４３に送出する。
【００６３】
ナースコール親機４の親機ＣＰＵ４３は、受信した呼出時映像データ信号に付加されているカメラＩＤ「Ｃ１０１」をもとに、２０１号室内で子機ＩＤ「１」を有するナースコール子機１に対応したカメラ２で生成された被看護人の映像データであることを検出し、その信号を、親機表示部４０を構成する親機映像処理回路４０ｂに送出する。この親機映像処理回路４０ｂは、受信した呼出時映像データ信号について伸張処理を行いアナログ化することで、図３（Ｃ）に示すように、２０１号室内でナースコール子機１が病床に設置されている被看護人、すなわち、氏名（氏名データ）が「水野由香」であって被看護人識別ＩＤ「０００１」を有する被看護人の映像データを副表示部４０ｂに出画させることができる。
【００６４】
ここで、ナースコール親機４の親機表示部４０を構成する副表示部４０ｂは、主表示部４０ａと比較して小さいものの、ナースコール呼出元である被看護人の映像データを確認するには十分な大きさであるため、この出画映像を確認するスタッフステーション等の施設内共用部に在室中の医療・看護従事者は、十分な視認性が確保される。
【００６５】
なお、前述のようなナースコール呼出しに係る所定の報知（呼出表示、呼出発報、出画映像）を確認したスタッフステーション等の施設内共用部に在室中の医療・看護従事者が、図１、図２（Ｂ）に示すナースコール親機４の親機操作部４２を構成する主操作部４２ａを用いて応答操作を行うと、この操作を検出した親機ＣＰＵ４３及びナースコール呼出元である図２（Ａ）に示すナースコール子機１を構成するプレート子機１ｂの子機ＣＰＵ１２の制御により、医療・看護従事者が使用する親機通話部４１の親機マイク４１ａ及び親機スピーカ４１ｂと、親機音声処理回路４１ｃ、親機ＣＰＵ４３、親機Ｉ／Ｆ４４、親機ラインＬ4、図２（Ｃ）に示す制御機５の親機側制御機Ｉ／Ｆ５５、制御機ＣＰＵ５２、制御機音声処理部５０、制御機ＣＰＵ５２、廊下灯側制御機Ｉ／Ｆ５４、廊下灯ラインＬ3、２０１号室の出入口近傍に設置された廊下灯３、子機ラインＬ1、呼出元であるナースコール子機１を構成するプレート子機１ｂの廊下灯側子機Ｉ／Ｆ１４、子機ＣＰＵ１２、子機通話部１０を構成する子機音声処理回路１０ｃを経由して、被看護人が使用する子機マイク１０ａ及び子機スピーカ１０ｂとの間の信号伝送路、すなわち、通話路が形成され、形成された通話路を経由して音声データを送受信させることで通話が成立する。
〔第２の動作〕
次に、第２の動作として、図１に示す２０１号室、２０２号室、・・・のような複数の部屋内の各病床に居る被看護人のうち少なくとも１人、ここでは、２０１号室内で子機ＩＤ「１」を有するナースコール子機１が病床に設置されている被看護人、すなわち、氏名（氏名データ）が「水野由香」であって被看護人識別ＩＤ「０００１」を有する被看護人の様子をスタッフステーション等の施設内共用部に在室中の医療・看護従事者が確認するにあたって、この医療・看護従事者は、図４（Ａ）、（Ｂ）に示すナースコール親機４の親機表示部４０を構成する主表示部４０ａに予め表示されているリストやフロア病床レイアウトを参照し、該当する被看護人について親機操作部４２を構成する主操作部４２ａを用いて選択する。この操作を検出した親機ＣＰＵ４３は、氏名（氏名データ）「水野由香」及び被看護人識別ＩＤ「０００１」に予め割当てられている子機ＩＤ「１」及び廊下灯ＩＤ「２０１」を付加した聴取起動制御信号を生成するとともに、このリストやフロア病床レイアウトを用いて図５（Ａ）、（Ｂ）に示すような聴取中であることを表示することができる。また、親機ＣＰＵ４３で生成された聴取起動制御信号は、親機Ｉ／Ｆ４４、親機ラインＬ4、図２（Ｃ）に示す制御機５の親機側制御機Ｉ／Ｆ５５を経由して制御機ＣＰＵ５２に伝送される。
【００６６】
制御機５の制御機ＣＰＵ５２は、受信した聴取起動制御信号に付加されている子機ＩＤ「１」及び廊下灯ＩＤ「２０１」をもとに、聴取先の被看護人が２０１号室内で子機ＩＤ「１」を有するナースコール子機１が病床に設置されている被看護人であることを検出し、この聴取起動制御信号を、廊下灯側制御機Ｉ／Ｆ５４、廊下灯ラインＬ3を経由して全ての廊下灯３に送出するとともに、当該聴取起動制御信号に付加されている子機ＩＤ「１」及び廊下灯ＩＤ「２０１」に対応したカメラＩＤ、すなわち、カメラＩＤ「Ｃ１０１」を有するカメラ２の駆動が許可されているか否かを判別する。ここで、その判別結果として駆動が許可されている、例えば、氏名（氏名データ）「水野由香」及び被看護人識別ＩＤ「０００１」を有する被看護人によるプライバシー保護の必要性がない場合には、このカメラＩＤ「Ｃ１０１」を付加したカメラ駆動信号を生成する。また、制御機ＣＰＵ５２で生成されたカメラ駆動信号は、カメラ側制御機Ｉ／Ｆ５３、カメララインＬ2を経由して全てのカメラ２に伝送される。
【００６７】
全ての廊下灯３は、ナースコール親機４の親機ＣＰＵ４３から制御機５を経由して伝送されてきた聴取起動制御信号に付加されている廊下灯ＩＤ「２０１」と自廊下灯ＩＤとを比較する。ここでは、当該廊下灯ＩＤが「２０１」で一致する２０１号室の出入口近傍に設置された廊下灯３のみ、同様に付加されている子機ＩＤ「１」に該当するナースコール子機１の音声入力機能を能動とするための聴取制御信号を生成する。この聴取制御信号は、２０１号室の出入口近傍に設置された廊下灯３から子機ラインＬ1、図２（Ａ）に示すナースコール子機１を構成するプレート子機１ｂの廊下灯側子機Ｉ／Ｆ１３を経由して子機ＣＰＵ１２に伝送される。この聴取制御信号を検出した子機ＣＰＵ１２は、子機通話部１０を構成する子機音声処理回路１０ｃを制御し、子機マイク１０ａから当該子機音声処理回路を経由して子機ＣＰＵ１２までの信号伝送路を形成する一方、当該子機音声処理回路から子機スピーカ１０ｂまでの信号伝送路は遮断のまま保持することにより、氏名（氏名データ）が「水野由香」であって被看護人識別ＩＤ「０００１」を有する被看護人の音声が子機マイク１０ａに入力され、この音声は、子機音声処理回路１０ｃで圧縮処理及びデジタル化された聴取音声データ信号として、子機ＣＰＵ１２で子機ＩＤ「１」が付加された後、前述の聴取制御信号とは逆の信号伝送路を経由して２０１号室の出入口近傍に設置された廊下灯３に伝送される。
【００６８】
また、２０１号室の出入口近傍に設置された廊下灯３は、音声聴取元であるナースコール子機１のプレート子機１ｂから伝送されてきた聴取音声データ信号に自廊下灯ＩＤ「２０１」を付加し、前述の聴取起動制御信号とは逆の信号伝送路を経由して図２（Ｃ）に示す制御機５の制御機ＣＰＵ５２に送出する。
【００６９】
制御機５の制御機ＣＰＵ５２は、受信した聴取音声データ信号に付加されている子機ＩＤ「１」及び廊下灯ＩＤ「２０１」をもとに、２０１号室内で子機ＩＤ「１」を有するナースコール子機１が病床に設置されている被看護人の様子を確認するための音声データであることを検出する。また、制御機ＣＰＵ５２は、受信した聴取音声データ信号を、制御機音声処理部５０で伸張し、再圧縮させた後、親機側制御機Ｉ／Ｆ５５、親機ラインＬ4、図２（Ｂ）に示すナースコール親機４の親機Ｉ／Ｆ４４を経由して親機ＣＰＵ４３に送出する。
【００７０】
ナースコール親機４の親機ＣＰＵ４３は、受信した聴取音声データ信号に付加されている子機ＩＤ「１」及び廊下灯ＩＤ「２０１」をもとに、２０１号室内で子機ＩＤ「１」を有するナースコール子機１が病床に設置されている被看護人の音声データであることを検出し、その信号を、親機通話部４１を構成する親機音声処理回路４１ｃに送出する。この親機音声処理回路４１ｃは、受信した聴取音声データ信号について伸張処理を行いアナログ化することで、２０１号室内で子機ＩＤ「１」を有するナースコール子機１が病床に設置されている、氏名（氏名データ）が「水野由香」であって被看護人識別ＩＤ「０００１」を有する被看護人の音声データが親機スピーカ４１ｂから出力され、スタッフステーション内に在室中の医療・看護従事者が聴取可能となる。
【００７１】
また、全てのカメラ２は、受信したカメラ駆動信号に付加されているカメラＩＤ「Ｃ１０１」と自カメラが有するカメラＩＤとを照合する。ここでは、当該カメラＩＤが「Ｃ１０１」で一致する、２０１号室内で子機ＩＤ「１」を有するナースコール子機１に対応したカメラ２が駆動する。このカメラ２は聴取対象である被看護人の映像を撮像し、圧縮処理及デジタル化させ、カメラＩＤ「Ｃ１０１」を付加した聴取時映像データ信号を生成する。この聴取時映像データ信号は、前述のカメラ駆動信号とは逆の信号伝送路を経由して図２（Ｃ）に示す制御機５の制御機ＣＰＵ５２に伝送される。
【００７２】
制御機５の制御機ＣＰＵ５２は、受信した聴取時映像データ信号に付加されているカメラＩＤ「Ｃ１０１」をもとに、２０１号室内で子機ＩＤ「１」を有するナースコール子機１に対応したカメラ２で生成された被看護人の映像データであることを検出し、受信した呼出時映像データ信号について制御機映像処理部５１で伸張し、再圧縮させた後、親機側制御機Ｉ／Ｆ５５、親機ラインＬ4、図２（Ｂ）に示すナースコール親機４の親機Ｉ／Ｆ４４を経由して親機ＣＰＵ４３に送出する。
【００７３】
ナースコール親機４の親機ＣＰＵ４３は、受信した聴取時映像データ信号に付加されているカメラＩＤ「Ｃ１０１」をもとに、２０１号室内で子機ＩＤ「１」を有するナースコール子機１に対応したカメラ２で生成された被看護人の映像データであることを検出し、その信号を、親機表示部４０を構成する親機映像処理回路４０ｃに送出する。この親機映像処理回路４０ｃは、受信した聴取時映像データ信号について伸張処理を行いアナログ化することで、図５（Ｃ）に示すように、２０１号室内でナースコール子機１が病床に設置されている、氏名（氏名データ）が「水野由香」であって被看護人識別ＩＤ「０００１」を有する被看護人の映像を副表示部４０ｂに出画させることができる。
【００７４】
ここで、ナースコール親機４の親機表示部４０を構成する副表示部４０ｂは、主表示部４０ａと比較して小さいものの、聴取対象である被看護人の映像データを確認するには十分な大きさでるため、この出画映像を確認するスタッフステーション等の施設内共用部に在室中の医療・看護従事者は、十分な視認性が確保されることになる。
【００７５】
なお、第２の動作に係る説明において、制御機５の制御機ＣＰＵ５２は、受信した音声入力機能制御信号に付加されている子機ＩＤ「１」、廊下灯ＩＤ「２０１」をもとに、聴取対象の被看護人が２０１号室内の子機ＩＤ「１」を有するナースコール子機１が病床に設置されている被看護人であることを検出したとき、これに連動して対応するカメラＩＤ「Ｃ１０１」を有するカメラ２を駆動させたが、この制御に限定されるものではない。例えば、聴取対象の被看護人が音声の聴取は望むものの、映像の撮像及びその出画を望まない設定であるときには該当するカメラ２を駆動させることなく、そのまま保持することができる。したがって、スタッフステーション等の施設内共用部に在室中の医療・看護従事者は、被看護人が映像の撮像及びその出画を望まない場合、被看護人のプライバシーを保護した状態で音声（音声データ）による聴取のみでその様子を確認することができる。
【００７６】
また、制御機５の制御機ＣＰＵ５２は、聴取音声データ信号の音量レベルを制御機音声処理部５０で検出し、予め定められた閾値レベルを超えた場合、例えば、被看護人毎に異なる閾値レベルを超えた場合にのみ、これに連動して対応するカメラＩＤ「Ｃ１０１」を有するカメラ２を駆動させることで、２０１号室内でナースコール子機１が病床に設置されている、氏名（氏名データ）が「水野由香」であって被看護人識別ＩＤ「０００１」を有する被看護人の映像を、図１、図２（Ｂ）に示すナースコール親機４の親機表示部４０を構成する副表示部４０ｃに出画させることができるばかりでなく、聴取対象である被看護人に異常が発生している旨の警報報知を行うための警報制御信号を生成し、親機側制御機Ｉ／Ｆ５５、親機ラインＬ4、ナースコール親機４の親機Ｉ／Ｆ４４を経由して親機ＣＰＵ４３に送出する。
【００７７】
ナースコール親機４の親機ＣＰＵ４３は、警報制御信号を受信すると、２０１号室内で子機ＩＤ「１」を有するナースコール子機１が病床に設置されている被看護人、すなわち、氏名（氏名データ）が「水野由香」であって被看護人識別ＩＤ「０００１」を有する被看護人が大きな声を出しており異常状態であることを検出し、親機表示部４０及び親機通話部４１をそれぞれ制御することで、その旨の警報メッセージ（不図示）を主表示部４０ｂに表示されているリスト又は病床レイアウトを用いて表示することができるばかりでなく、子機音声処理回路１０ｃを経由して子機スピーカ１０ｂから警報音や音声メッセージ等を出力させることができる。したがって、スタッフステーション等の施設内共用部に在室中の医療・看護従事者は、氏名（氏名データ）が「水野由香」であって被看護人識別ＩＤ「０００１」を有する被看護人が大きな声を出していることを、その映像とともに確認することができ、迅速な対応が可能となる。
【００７８】
なお、前述のようなナースコール親機４の親機表示部４０及び親機通話部４１を用いた警報報知は、当該ナースコール親機のみならず、例えば、聴取対象の被看護人の部屋に該当する２０１号室の出入口近傍に設置された廊下灯３等においても同様に行うことでき、この警報報知を確認する例えば、巡回中の医療・看護従事者は、迅速な対応が可能となる。
〔第３の動作〕
次に、第３の動作として、図１に示す２０１号室、２０２号室、・・・のような複数の部屋内の各病床に居る被看護人のうち複数人、ここでは、２０２号室内で子機ＩＤ「１」を有するナースコール子機１が病床に設置されている被看護人、すなわち、氏名（氏名データ）が「鈴木太郎」であって被看護人識別ＩＤ「０００３」を有する被看護人の様子と、同部屋内で子機ＩＤ「２」を有するナースコール子機１が病床に設置されている被看護人、すなわち、氏名（氏名データ）が「加藤文人」であって被看護人識別ＩＤ「０００４」を有する被看護人の様子を、スタッフステーション等の施設内共用部に在室中の医療・看護従事者が同時に確認するにあたって、この医療・看護従事者は、図４（Ａ）、（Ｂ）に示すナースコール親機４の親機表示部４０を構成する主表示部４０ａに予め表示されているリストやフロア病床レイアウトを参照し、該当する２人の被看護人について親機操作部４２を構成する主操作部４２ａを用いて選択する。この選択操作を検出した親機ＣＰＵ４３は、氏名（氏名データ）「鈴木太郎」及び被看護人識別ＩＤ「０００３」に予め割当てられている子機ＩＤ「１」及び廊下灯ＩＤ「２０２」を付加した聴取起動制御信号（以下、第１の聴取起動制御信号という）、氏名（氏名データ）「加藤文人」及び被看護人識別ＩＤ「０００４」に予め割当てられている子機ＩＤ「２」及び廊下灯ＩＤ「２０２」を付加した聴取起動制御信号（以下、第２の聴取起動制御信号という）を順次生成するとともに、図６（Ａ）、（Ｂ）に示すようなリストやフロア病床レイアウトを用いて聴取中であることを表示することができる。また、親機ＣＰＵ４３で生成された第１、第２の聴取起動制御信号は、親機Ｉ／Ｆ４４、親機ラインＬ4、図２（Ｃ）に示す制御機５の親機側制御機Ｉ／Ｆ５５を経由して制御機ＣＰＵ５２に伝送される。
【００７９】
制御機５の制御機ＣＰＵ５２は、受信した第１、第２の聴取起動制御信号に付加されている子機ＩＤ「１」及び廊下灯ＩＤ「２０２」、子機ＩＤ「２」及び廊下灯ＩＤ「２０２」をもとに、聴取先である２人の被看護人がそれぞれ、２０２号室内で子機ＩＤ「１」を有するナースコール子機１が病床に設置されている被看護人、２０２号室内で子機ＩＤ「２」を有するナースコール子機１が病床に設置されている被看護人であることを検出し、この第１、第２の聴取起動制御信号を、廊下灯側制御機Ｉ／Ｆ５４、廊下灯ラインＬ3を経由して全ての廊下灯３に送出するとともに、当該第１、第２の聴取起動制御信号に付加されている子機ＩＤ「１」及び廊下灯ＩＤ「２０２」に対応したカメラＩＤ、すなわち、カメラＩＤ「Ｃ１０３」を有するカメラ２の駆動、子機ＩＤ「２」及び廊下灯ＩＤ「２０２」に対応したカメラＩＤ、すなわち、カメラＩＤ「Ｃ１０４」を有するカメラ２の駆動がそれぞれ許可されているか否かを判別する。ここで、それらの判別結果として何れの駆動も許可されている、例えば、氏名（氏名データ）「鈴木太郎」及び被看護人識別ＩＤ「０００３」を有する被看護人によるプライバシー保護、氏名（氏名データ）「加藤文人」及び被看護人識別ＩＤ「０００４」を有する被看護人によるプライバシー保護の必要性がそれぞれない場合には、カメラＩＤ「Ｃ１０３」を付加したカメラ駆動信号（以下、第１のカメラ駆動信号という）及びカメラＩＤ「Ｃ１０４」を付加したカメラ駆動信号（以下、第２のカメラ駆動信号という）を予め定められた順序、例えば、ナースコール親機４の親機操作部４２（４２ａ）を用いた医療・看護従事者による操作で制御機ＣＰＵ５２に設定された順序、ここでは、第１、第２の当該信号の順序で生成する。また、制御機ＣＰＵ５２で順次生成された第１、第２のカメラ駆動信号は、カメラ側制御機Ｉ／Ｆ５３、カメララインＬ2を経由して全てのカメラ２に伝送される。
【００８０】
全ての廊下灯３は、ナースコール親機４の親機ＣＰＵ４３から制御機５を経由して順次伝送されてきた第１、第２の聴取起動制御信号にそれぞれ付加されている廊下灯ＩＤ「２０２」と自廊下灯ＩＤとを比較する。ここでは、当該廊下灯ＩＤが「２０２」で一致する２０２号室の出入口近傍に設置された廊下灯３が同様に付加されている子機ＩＤ「１」、「２」に該当するナースコール子機１の音声入力機能を能動とするための聴取制御信号（以下、第１、第２の聴取制御信号という）を生成する。
【００８１】
ここで、第１の聴取制御信号は、２０１号室の出入口近傍に設置された廊下灯３から子機ラインＬ1、図２（Ａ）に示すナースコール子機１を構成するプレート子機１ｂの廊下灯側子機Ｉ／Ｆ１３を経由して子機ＣＰＵ１２に伝送される。この第１の聴取制御信号を検出した子機ＣＰＵ１２は、子機通話部１０を構成する子機音声処理回路１０ｃを制御し、子機マイク１０ａから当該子機音声処理回路を経由して子機ＣＰＵ１２までの信号伝送路を形成する一方、当該子機音声処理回路から子機スピーカ１０ｂまでの信号伝送路は遮断のまま保持することにより、氏名（氏名データ）が「鈴木太郎」であって被看護人識別ＩＤ「０００３」を有する被看護人の音声が子機マイク１０ａに入力され、この音声は、子機音声処理回路１０ｃで圧縮処理及びデジタル化された聴取音声データ信号（以下、第１の聴取音声データ信号という）として、子機ＣＰＵ１２で子機ＩＤ「１」が付加された後、前述の第１の聴取制御信号とは逆の信号伝送路を経由して２０２号室の出入口近傍に設置された廊下灯３に伝送される。
【００８２】
また、２０２号室の出入口近傍に設置された廊下灯３は、音声聴取元であるナースコール子機１のプレート子機１ｂから伝送されてきた第１の聴取音声データ信号に自廊下灯ＩＤ「２０２」を付加し、前述の第１の聴取起動制御信号とは逆の信号伝送路を経由して図２（Ｃ）に示す制御機５の制御機ＣＰＵ５２に送出する。
【００８３】
一方、第２の聴取制御信号は、２０２号室の出入口近傍に設置された廊下灯３から子機ラインＬ1、図２（Ａ）に示すナースコール子機１を構成するプレート子機１ｂの廊下灯側子機Ｉ／Ｆ１３を経由して子機ＣＰＵ１２に伝送される。この第２の聴取制御信号を検出した子機ＣＰＵ１２は、子機通話部１０を構成する子機音声処理回路１０ｃを制御し、子機マイク１０ａから当該子機音声処理回路を経由して子機ＣＰＵ１２までの信号伝送路を形成する一方、当該子機音声処理回路から子機スピーカ１０ｂまでの信号伝送路は遮断のまま保持することにより、氏名（氏名データ）が「加藤文人」であって被看護人識別ＩＤ「０００４」を有する被看護人の音声が子機マイク１０ａに入力され、この音声は、子機音声処理回路１０ｃで圧縮処理及びデジタル化された聴取音声データ信号（以下、第２の聴取音声データ信号という）として、子機ＣＰＵ１２で子機ＩＤ「２」が付加された後、前述の第２の聴取制御信号とは逆の信号伝送路を経由して２０２号室の出入口近傍に設置された廊下灯３に伝送される。
【００８４】
また、２０２号室の出入口近傍に設置された廊下灯３は、音声聴取元であるナースコール子機１のプレート子機１ｂから伝送されてきた第２の聴取音声データ信号に自廊下灯ＩＤ「２０２」を付加し、前述の第２の聴取起動制御信号とは逆の信号伝送路を経由して図２（Ｃ）に示す制御機５の制御機ＣＰＵ５２に送出する。
【００８５】
制御機５の制御機ＣＰＵ５２は、順次受信した、第１の聴取音声データ信号に付加されている子機ＩＤ「１」及び廊下灯ＩＤ「２０２」、第２の聴取音声データ信号に付加されている子機ＩＤ「２」及び廊下灯ＩＤ「２０２」をもとに、２０２号室内で子機ＩＤ「１」を有するナースコール子機１が病床に設置されている被看護人の様子を確認するための音声データ、２０２号室内で子機ＩＤ「２」を有するナースコール子機１が病床に設置されている被看護人の様子を確認するための音声データであることを検出する。また、制御機ＣＰＵ５２は、受信した第１、第２の聴取音声信号について、制御機音声処理部５０で当該子機ＩＤに対応させてそれぞれ伸張した後に合成し、再圧縮した聴取音声合成データ信号を生成させ、親機側制御機Ｉ／Ｆ５５、親機ラインＬ4、図２（Ｂ）に示すナースコール親機４の親機Ｉ／Ｆ４４を経由して親機ＣＰＵ４３に送出する。
【００８６】
ナースコール親機４の親機ＣＰＵ４３は、受信した聴取音声合成データ信号に付加されている子機ＩＤ「１」、「２」及び廊下灯ＩＤ「２０２」をもとに、２０２号室内で子機ＩＤ「１」を有するナースコール子機１が病床に設置されている被看護人の音声データと、同部屋内で子機ＩＤ「２」を有するナースコール子機１が病床に設置されている被看護人の音声データとの合成データであることを検出し、その信号を、親機通話部４１を構成する親機音声処理回路４１ｃに送出する。この親機音声処理回路４１ｃは、受信した聴取時音声合成データ信号について伸張処理を行いアナログ化することで、２０２号室内で子機ＩＤ「１」を有するナースコール子機１が病床に設置されている、氏名（氏名データ）が「鈴木太郎」であって被看護人識別ＩＤ「０００３」を有する被看護人の音声データと、同部屋内で子機ＩＤ「２」を有するナースコール子機１が病床に設置されている、氏名（氏名データ）が「加藤文人」であって被看護人識別ＩＤ「０００４」を有する被看護人の音声データとの合成音声が親機スピーカ４１ｂから出力され、スタッフステーション内に在室中の医療・看護従事者が聴取可能となる。
【００８７】
全てのカメラ２は、順次受信した第１、第２のカメラ駆動信号に付加されているカメラＩＤ「Ｃ１０３」、「Ｃ１０４」と自カメラが有するカメラＩＤとを照合する。ここでは最初に、当該カメラＩＤが「Ｃ１０３」で一致する、２０２号室内で子機ＩＤ「１」を有するナースコール子機１に対応したカメラ２が駆動し、その後、当該カメラＩＤが「Ｃ１０４」で一致する、２０２号室内で子機ＩＤ「２」を有するナースコール子機１に対応したカメラ２が駆動する。これらのカメラ２は聴取対象である被看護人の映像を撮像し、圧縮処理及びデジタル化させ、カメラＩＤ「Ｃ１０３」、「Ｃ１０４」をそれぞれ付加した聴取出時映像データ信号（以下、第１、第２の聴取時映像データ信号という）を生成する。これら第１、第２の聴取時映像データ信号はそれぞれ、前述の第１、第２のカメラ駆動信号とは逆の信号伝送路を経由して図２（Ｃ）に示す制御機５の制御機ＣＰＵ５２に伝送される。
【００８８】
制御機５の制御機ＣＰＵ５２は、順次受信した第１、第２の聴取時映像データ信号のうち、第１の聴取時映像データ信号を受信すると、この信号に付加されているカメラＩＤ「Ｃ１０３」をもとに、２０２号室内で子機ＩＤ「１」を有するナースコール子機１が病床に設置されている被看護人の映像データであることを検出し、受信した第１の聴取時映像データ信号を制御機映像処理回路５１で伸張し、圧縮させた後、親機側制御機Ｉ／Ｆ５５、親機ラインＬ4、図２（Ｂ）に示すナースコール親機４の親機Ｉ／Ｆ４４を経由して親機ＣＰＵ４３に送出する。
【００８９】
ナースコール親機４の親機ＣＰＵ４３は、受信した第１の聴取時映像データ信号に付加されているカメラＩＤ「Ｃ１０３」をもとに、２０２号室内で子機ＩＤ「１」を有するナースコール子機１が病床に設置されている被看護人の映像データであることを検出し、その信号を、親機表示部４０を構成する親機映像処理回路４０ｃに送出する。この親機映像処理回路４０ｃは、受信した第１の聴取時映像データ信号について伸張処理を行いアナログ化することで、図６（Ｃ−１）に示すように、２０２号室内で子機ＩＤ「１」を有するナースコール子機１が病床に設置されている、氏名（氏名データ）が「鈴木太郎」であって被看護人識別ＩＤ「０００３」を有する被看護人の映像を副表示部４０ｂに出画させることができる。
【００９０】
また、制御機５の制御機ＣＰＵ５２は、前述のように順次受信した第１、第２の聴取時映像データ信号のうち、第２の聴取時映像データ信号を受信すると、この信号に付加されているカメラＩＤ「Ｃ１０４」をもとに、２０２号室内で子機ＩＤ「２」を有するナースコール子機１が病床に設置されている被看護人の映像データであることを検出し、受信した第２の聴取時映像データ信号を制御機映像処理回路５１で伸張し、圧縮させた後、親機側制御機Ｉ／Ｆ５５、親機ラインＬ4、図２（Ｂ）に示すナースコール親機４の親機Ｉ／Ｆ４４を経由して親機ＣＰＵ４３に送出する。
【００９１】
ナースコール親機４の親機ＣＰＵ４３は、受信した第２の聴取時映像データ信号に付加されているカメラＩＤ「Ｃ１０４」をもとに、２０２号室内で子機ＩＤ「２」を有するナースコール子機１が病床に設置されている被看護人の映像データであることを検出し、その信号を、親機表示部４０を構成する親機映像処理回路４０ｃに送出する。この親機映像処理回路４０ｃは、受信した第２の聴取時映像データ信号について伸張処理を行いアナログ化することで、図６（Ｃ−１）から切換えられた図６（Ｃ−２）に示すように、２０２号室内で子機ＩＤ「２」を有するナースコール子機１が病床に設置されている、氏名（氏名データ）が「加藤文人」であって被看護人識別ＩＤ「０００４」を有する被看護人の映像を副表示部４０ｂに出画させることができる。
【００９２】
ここで、ナースコール親機４の親機表示部４０を構成する副表示部４０ｂは、主表示部４０ａと比較して小さいものの、聴取対象である第１、第２の被看護人の映像データを確認するには十分な大きさでるため、この出画映像を確認するスタッフステーション等の施設内共用部に在室中の医療・看護従事者は、十分な視認性が確保されることになる。また、聴取対象である第１、第２の被看護人の映像データをナースコール親機４の親機表示部４０を構成する副表示部４０ｂに出画するにあたっては、図６（Ｃ−１）、（Ｃ−２）に示すような当該映像データ毎の出画態様に限定されるものではなく、図６（Ｃ−３）に示すような分割表示を行うこともできる。
【００９３】
なお、第３の動作に係る説明において、制御機５の制御機ＣＰＵ５２は、順次受信した第１、第２の音声入力機能制御信号にそれぞれ付加されている子機ＩＤ「１」及び廊下灯ＩＤ「２０２」、子機ＩＤ「２」及び廊下灯ＩＤ「２０２」をもとに、聴取先である２人の被看護人が、２０２号室内で子機ＩＤ「１」を有するナースコール子機１が病床に設置されている被看護人、２０２号室内で子機ＩＤ「２」を有するナースコール子機１が病床に設置されている被看護人であることを検出したとき、これに連動して対応するカメラＩＤ「Ｃ１０３」、「Ｃ１０４」を有するカメラ２を駆動させたが、この制御に限定されるものではない。例えば、聴取対象の被看護人が音声の聴取は望むものの、映像の撮像及びその出画を望まない設定であるときには該当するカメラ２を駆動させることなく、そのまま保持することができる。したがって、スタッフステーション等の施設内共用部に在室中の医療・看護従事者は、被看護人が映像の撮像及びその出画を望まない場合、被看護人のプライバシーを保護した状態で音声（音声データ）による聴取のみでその様子を確認することができる。
【００９４】
また、制御機５の制御機ＣＰＵ５２は、第１、第２の聴取時音声データ信号のそれぞれの音量レベルを制御機音声処理部５０で検出し、最大の音量レベルの音声入力元であるナースコール子機１に対応する当該カメラ、すなわち、カメラＩＤ「Ｃ１０３」、「Ｃ１０４」を有するカメラ２のうち何れかを駆動させることで、２０２号室内で子機ＩＤ「１」を有するナースコール子機１が病床に設置されている、氏名（氏名データ）が「鈴木太郎」であって被看護人識別ＩＤ「０００３」を有する被看護人の映像、又は２０２号室内で子機ＩＤ「２」を有するナースコール子機１が病床に設置されている、氏名（氏名データ）が「加藤文人」であって被看護人識別ＩＤ「０００４」を有する被看護人の映像を、図１、図２（Ｂ）に示すナースコール親機４の親機表示部４０を構成する副表示部４０ｃに出画させることができる。
【００９５】
また、制御機５の制御機ＣＰＵ５２は、第１、第２の聴取時音声データ信号のそれぞれの音量レベルを制御機音声処理部５０で検出し、予め定められた閾値レベルを超えた場合、例えば、被看護人毎に異なる閾値レベルを超えた場合にのみ、これに連動して対応するカメラＩＤ「Ｃ１０３」、「Ｃ１０４」を有するカメラ２を駆動させることで、２０２号室内で子機ＩＤ「１」を有するナースコール子機１が病床に設置されている、氏名（氏名データ）が「鈴木太郎」であって被看護人識別ＩＤ「０００３」を有する被看護人の映像、２０２号室内で子機ＩＤ「２」を有するナースコール子機１が病床に設置されている、氏名（氏名データ）が「加藤文人」であって被看護人識別ＩＤ「０００４」を有する被看護人の映像を、図１、図２（Ｂ）に示すナースコール親機４の親機表示部４０を構成する副表示部４０ｃに出画させることができるばかりでなく、聴取対象である被看護人に異常が発生している旨の警報報知を行うための警報制御信号を生成し、親機側制御機Ｉ／Ｆ５５、親機ラインＬ4、ナースコール親機４の親機Ｉ／Ｆ４４を経由して親機ＣＰＵ４３に送出する。ここで、聴取対象の被看護人として、氏名（氏名データ）が「鈴木太郎」であって被看護人識別ＩＤ「０００３」を有する被看護人にのみ異常が発生している場合には、警報報知を行うための警報制御信号として子機ＩＤ「１」及び廊下灯ＩＤ「２０２」を付加した警報制御信号（以下、第１の警報制御信号という）を生成し、親機側制御機Ｉ／Ｆ５５、親機ラインＬ4、ナースコール親機４の親機Ｉ／Ｆ４４を経由して親機ＣＰＵ４３に送出する。一方、氏名（氏名データ）が「加藤文人」であって被看護人識別ＩＤ「０００４」を有する被看護人にのみ異常が発生している場合には、警報報知を行うための警報制御信号として子機ＩＤ「２」及び廊下灯ＩＤ「２０２」を付加した警報制御信号（以下、第２の警報制御信号という）を生成し、前述の第１の警報制御信号と同様な信号伝送路を経由してナースコール親機４の親機ＣＰＵ４３に送出する。
【００９６】
ナースコール親機４の親機ＣＰＵ４３は、第１の警報制御信号を受信すると、２０２号室内で子機ＩＤ「１」を有するナースコール子機１が病床に設置されている被看護人、すなわち、氏名（氏名データ）が「鈴木太郎」であって被看護人識別ＩＤ「０００３」を有する被看護人が大きな声を出しており異常状態であることを検出し、親機表示部４０及び親機通話部４１をそれぞれ制御することで、その旨の警報メッセージを主表示部４０ｂに表示されているリスト又は病床レイアウトを用いて表示することができるばかりでなく、子機音声処理回路１０ｃを経由して子機スピーカ１０ｂから警報音や音声メッセージ等を出力させることができる。したがって、スタッフステーション等の施設内共用部に在室中の医療・看護従事者は、氏名（氏名データ）が「鈴木太郎」であって被看護人識別ＩＤ「０００３」を有する被看護人が大きな声を出していることを、その映像とともに確認することができ、迅速な対応が可能となる。
【００９７】
また、ナースコール親機４の親機ＣＰＵ４３は、第２の警報制御信号を受信すると、２０２号室内で子機ＩＤ「２」を有するナースコール子機１が病床に設置されている被看護人、すなわち、氏名（氏名データ）が「加藤文人」であって被看護人識別ＩＤ「０００４」を有する被看護人が大きな声を出しており異常状態であることを検出し、親機表示部４０及び親機通話部４１をそれぞれ制御することで、その旨の警報メッセージを主表示部４０ｂに表示されているリスト又は病床レイアウトを用いて表示することができるばかりでなく、子機音声処理回路１０ｃを経由して子機スピーカ１０ｂから警報音や音声メッセージ等を出力させることができる。したがって、スタッフステーション等の施設内共用部に在室中の医療・看護従事者は、氏名（氏名データ）が「加藤文人」であって被看護人識別ＩＤ「０００４」を有する被看護人が大きな声を出していることを、その映像とともに確認することができ、迅速な対応が可能となる。
【００９８】
なお、前述のようなナースコール親機４の親機表示部４０及び親機通話部４１を用いた警報報知は、当該ナースコール親機のみならず、例えば、聴取対象の被看護人の部屋に該当する２０２号室の出入口近傍に設置された廊下灯３等においても同様に行うことでき、この警報報知を確認する例えば、巡回中の医療・看護従事者は、迅速な対応が可能となる。
【００９９】
また、第３の動作に係る説明において、同時に聴取する被看護人として２人を選択したが、この人数に限定されるものではなく、例えば、異なる多部屋にわたってより複数人を選択することもでき、このような複数の被看護人が選択されている場合のカメラ駆動制御について、制御機５の制御機ＣＰＵ５２は、制御機音声処理部５０にて検出される、それぞれの被看護人の音声データである聴取時音声データ信号の音量レベルのうち最大の音量レベルの音声入力元である当該被看護人の映像、又は最初に閾値レベルを超えた当該被看護人の映像、を撮像するようにカメラ２を駆動させることもでき、この閾値レベルは、前述の第２、第３の動作に示すような被看護人毎に異なる閾値レベルを適用するのみならず、システム全体で統一されたレベルに設定することもできる。
【０１００】
さらに、第３の動作に係る説明のみならず第２の動作に係る説明においても、被看護人の音声データである聴取音声データ信号の音量レベルと予め定められた閾値レベルとを比較する構成部として、制御機５の制御機ＣＰＵ５２及び制御機音声処理部５０を適用したが、この態様に限定されるものではない。例えば、同様なレベル比較機能を、ナースコール子機１を構成するプレート子機１ｂに備えることもできる。
【０１０１】
なお、第３の動作、すなわち、聴取動作が行われているとき、第１の動作に示すような呼出動作が行われた場合、制御機５の制御機ＣＰＵ５２は、この第１の動作を優先させる制御を行うことができる。
【０１０２】
本発明のナースコールシステムにおいては、特定の実施の形態をもって説明してきたが、この形態に限定されるものでなく、本発明の効果を奏する限り、これまで知られた如何なる構成の当該システムであっても採用できるということはいうまでもないことである。
【０１０３】
具体的に本発明の実施例においては、ナースコール子機１を用いた被看護人からの呼出し（ナースコール呼出し）に医療・看護従事者が応答して通話を成立させる機器としてナースコール親機４を適用したが、このナースコール親機４に限定されるものではない。例えば、施設内を巡回中の医療・看護従事者により携帯される例えば、ＰＨＳ、スマートフォン等の情報端末も適用し、この情報端末を制御機５により制御させることもできる。
【０１０４】
また、本発明の実施例においては、カメラ２、廊下灯３及びナースコール親機４を、個別のライン（カメラライン、廊下灯ライン、親機ライン）Ｌ2、Ｌ3、Ｌ4をそれぞれ経由して制御機５に接続させた構成を適用したが、この態様に限定されるものではない。例えば、カメラ２、廊下灯３、ナースコール親機４及び制御機５をそれぞれ、共通バスであるＬＡＮ配線に所定の信号分岐機能、例えば、ハブを経由して接続させた構成を適用することもできる。
【符号の説明】
【０１０５】
１……（複数台の）ナースコール子機
１０ａ……子機マイク
１２……子機ＣＰＵ
２……（複数台の）カメラ
３……（複数台の）廊下灯
２０……廊下灯表示部
２３……廊下灯ＣＰＵ
４……ナースコール親機
４０……親機表示部
４０ａ……主表示部
４０ｂ……副表示部
４１ｂ……親機スピーカ
４２……親機操作部
４３……親機ＣＰＵ
５……制御機
５２……制御機ＣＰＵ
【図１】
2014128330.tif 000003
【図２】
2014128330.tif 000004
【図４】
2014128330.tif 000005
【図３】
2014128330.tif 000006
【図５】
2014128330.tif 000007
【図６】
2014128330.tif 000008